(57)【特許請求の範囲】
【請求項１】
床面に設置される機器を支持して該機器の振動を防振すると共に該機器の高さを調整可能な防振アジャスタであって、レベル微調整用の微調整用ネジ穴を上部の中央部に形成された、前記床面に接して振動を防振する防振本体部と、前記微調整用ネジ穴に螺合する結合部を下部に形成されると共に回動用のハンドルを上部側に形成されたレベル調整部と、該レベル調整部の上部に付されて前記機器を支持する支持柱とを備え、
前記レベル調整部には、前記微調整用ネジ穴のネジのピッチよりも大きなピッチの粗調整用ネジ穴が上部の中央部に形成され、前記支持柱には、その下部側に前記粗調整用ネジ穴に螺合する雄ネジが形成されていて、
前記支持柱は、前記機器の底部に形成された取付穴の面取部に面接触する角度で、その先端部が円錐状、または台形錐状に形成されていて、前記取付穴に固定されることなく前記先端部が前記取付穴の面取部に面接触して前記機器を支えるものであり、
さらに、前記支持柱は、その胴部の一部にスパナ等の回動工具に係合可能な係合部が形成されていることを特徴とする防振アジャスタ。
【請求項２】
前記ハンドルが、十字型のハンドルであることを特徴とする請求項１に記載の防振アジャスタ。
【請求項３】
前記支持柱には、前記下部側に形成された雄ネジよりも上部側に、そのネジ径よりも大径の係止部が形成され、該係止部と前記レベル調整部との間に、スペーサーを配設可能にすることを特徴とする請求項１又は２に記載の防振アジャスタ。
【発明の詳細な説明】
【技術分野】
【０００１】
本発明は、床面に設置される機器を支持して機器の振動を防振すると共に、機器の高さを調整可能な防振アジャスタに関するものである。
【背景技術】
【０００２】
コンプレッサなどの回転器を備える装置やピストン機構を備える装置では、振動が発生しやすい。そのため、床面への振動伝達を防止するために、防振装置で機器を支持して床面に設置することが行われている。
【０００３】
例えば、特許文献１には、敷きベースに立設固定されたスタッドボルトの外周に防振ゴムを配置して、電気機器本体の底部のベース金具にスタッドボルトを下側から貫通させ、上側からナットで固定する防振装置が記載されている。
【０００４】
ベース金具は、ナットで上から固定するために機器側面よりも外側にはみ出している必要がある。
【０００５】
また、特許文献２には、機器底面に支持ボルトを貫通させて取付けられる、防振および高さ調整可能な防振アジャスタが記載されている。この支持ボルトに螺合させたナット状部材を機器底面に下側から当接させて、ナット状部材を回動させて、機器の高さ調整が行われる。
【０００６】
【特許文献１】特開平９−７８４６号公報
【特許文献２】特開２００７−１２０５２５号公報
【発明の開示】
【発明が解決しようとする課題】
【０００７】
従来の特許文献１に記載された防振装置では、敷きベースを小さくしたとしても、防振装置を取付けるためのベース部が機器側面よりも外側にはみ出してしまうため、機器の設置スペースが機器本体よりも広く必要になるという問題がある。
【０００８】
また、ベース部に防振装置を取付ける際には、スタッドボルトをベース部に貫通させる必要がある。このため、スタッドボルトが貫通するように機器を高く持ち上げる必要があるため、装着性が悪いという問題がある。
【０００９】
従来の特許文献２に記載された防振アジャスタでは、機器の設置スペースは機器側面よりも広がらないものの、支持ボルトを機器底面に貫通するように機器を高く持ち上げなければならないため、上記の防振装置と同様に装着性が悪いという問題がある。
【００１０】
また、この防振アジャスタでは、機器内部に支持ボルトが貫通することにより、機器内部にデッドスペースが生じてしまうという問題もある。
【００１１】
本発明はこれらの課題を解決するためになされたもので、機器内部にデッドスペースを生じさせず、かつ、機器サイズ内で装着でき、しかも装着性の良い防振アジャスタを提供することを目的とする。
【課題を解決するための手段】
【００１２】
前記の目的を達成するためになされた、特許請求の範囲の請求項１に記載された防振アジャスタは、床面に設置される機器を支持して該機器の振動を防振すると共に該機器の高さを調整可能な防振アジャスタであって、レベル微調整用の微調整用ネジ穴を上部の中央部に形成された、前記床面に接して振動を防振する防振本体部と、前記微調整用ネジ穴に螺合する結合部を下部に形成されると共に回動用のハンドルを上部側に形成されたレベル調整部と、該レベル調整部の上部に付されて前記機器を支持する支持柱とを備え、前記レベル調整部には、前記微調整用ネジ穴のネジのピッチよりも大きなピッチの粗調整用ネジ穴が上部の中央部に形成され、前記支持柱には、その下部側に前記粗調整用ネジ穴に螺合する雄ネジが形成されていて、前記支持柱は、前記機器の底部に形成された取付穴の面取部に面接触する角度で、その先端部が円錐状、または台形錐状に形成されていて、前記取付穴に固定されることなく前記先端部が前記取付穴の面取部に面接触して前記機器を支えるものであり、さらに、前記支持柱は、その胴部の一部にスパナ等の回動工具に係合可能な係合部が形成されていることを特徴とする。
【００１３】
請求項２に記載された防振アジャスタは、請求項１に記載の防振アジャスタであって、前記ハンドルが、十字型のハンドルであることを特徴とする。
【００１４】
請求項３に記載された防振アジャスタは、請求項１又は２に記載の防振アジャスタであって、前記支持柱には、前記下部側に形成された雄ネジよりも上部側に、そのネジ径よりも大径の係止部が形成され、該係止部と前記レベル調整部との間に、スペーサーを配設可能にすることを特徴とする。
【発明の効果】
【００１６】
請求項１記載の防振アジャスタによれば、支持する機器の底部に形成された取付穴の面取部に面接触して当接する角度で、支持柱の先端部が円錐状、または台形錐状に形成されていることにより、機器底面を支持柱が貫通することなく機器を支持することができる。このため、機器内部にデッドスペースが生じない。さらに、防振アジャスタの大きさを考慮して取付穴の位置を形成すれば、機器側面よりも防振アジャスタがはみ出ずに、機器サイズ内で装着することができる。
【００１７】
また、防振本体部の微調整用ネジ穴にレベル調整部が螺合している。このため、レベル調整部のハンドルを回動することで、上部に付された支持柱の先端部の高さを調整することができる。したがって、機器の下側に防振アジャスタをセットして、支持柱の先端部の高さを高く調整することで機器を支持することができる。このため、あらかじめ機器を浮かせることなく装着できるので、極めて装着性が良い。
【００１８】
この防振アジャスタによれば、レベル調整部の上部の中央部に、微調整用ネジ穴のネジのピッチよりも大きなピッチで粗調整用ネジ穴が形成され、支持柱には、その下部側に粗調整用ネジ穴に螺合する雄ネジが周囲に形成されていることにより、支持柱を回動することで、支持柱の先端部の高さを大きく調整でき、機器の高さの粗調整を行うことができる。
この防振アジャスタによれば、支持柱がその胴部の一部にスパナ等の回動工具に係合可能な係合部が形成されているため、支持柱の回動を容易に行うことができる。このため、機器高さの粗調整を容易に行うことができ、また、スペーサーを配設した場合には、支持柱の固定を容易に行うことができる。
【００１９】
請求項３記載の防振アジャスタによれば、支持柱には、下部側に形成された雄ネジよりも上部側に、そのネジ径よりも大径の係止部が形成され、係止部とレベル調整部との間にスペーサーを配設可能とすることで、支持柱を補強できると共に支持柱の高さを確実に固定することができる。
【発明を実施するための好ましい形態】
【００２１】
以下、本発明の実施例を詳細に説明するが、本発明の範囲はこれらの実施例に限定されるものではない。
【００２２】
図２には、本発明を適用する防振アジャスタの一実施形態の組立図が図示されている。この防振アジャスタ１は、床面に設置される機器を支持して機器の振動を防振すると共に機器の高さを調整可能とするものであり、防振本体部２、レベル調整部３、および支持柱４を備えている。
【００２３】
防振本体部２には、一例として、その底面側（図の下側）に防振用ゴム１０が配されている。防振本体部２は、この防振用ゴム１０の弾性で振動を吸収する。この防振用ゴム１０は、金属製の本体カバー１１で上部側が覆われている。
【００２４】
本体カバー１１は、金属製で、上部の中央部にレベル微調整用のネジ穴である微調整用ネジ穴１２が形成されている。図２では、この微調整用ネジ穴１２の一部が断面で図示されている。この微調整用ネジ穴１２は、防振用ゴム１０の中程まで達している。一例として、微調整用ネジ穴１２は、Ｍ４８でピッチが２ｍｍのネジ穴に形成されている。
【００２５】
なお、従来の防振装置や防振アジャスタに微調整用ネジ穴１２を配することで、本発明における防振本体部２とすることができる。
【００２６】
レベル調整部３は、金属で形成され、微調整用ネジ穴１２に螺合する雄ネジを外周に有する結合部１４を下部に形成されている。また、レベル調整部３には、回動用の十字型のハンドル１６が上部に形成されている。結合部１４とハンドル１６とは、一体的に構成されている。さらに、レベル調整部３の上部の中央部には、レベル調整部３を貫通する粗調整用ネジ穴１５が形成されている。図２では、この粗調整用ネジ穴１５の一部が断面で図示されている。この粗調整用ネジ穴１５は、微調整用ネジ穴１２のネジのピッチよりも大きなピッチで形成されている。一例として、粗調整用ネジ穴１５は、Ｍ２４でピッチが３ｍｍのネジ穴（雌ネジ）に形成されている。
【００２７】
支持柱４は、金属で形成され、その下部に粗調整用ネジ穴１５に螺合可能な雄ネジが形成されている。また、支持柱４には、ネジの形成された部分よりも上部側に、ネジ径よりも大径のフランジ状の係止部１８が形成されている。また、支持柱４は、係止部１８よりも上部側の胴部１９が六角状のナット型形状に形成されている。なお、この六角状のナット型形状が、本発明における係合部の一例に相当し、スパナで回動可能なサイズに規定されている。さらに、支持柱４の上方の先端部２０は、台形錐状に形成されている。
【００２８】
この先端部２０の台形錐の角度は、図１に示されるように、防振アジャスタ１の支持する機器の底部３０に形成された取付穴３２の面取部３３に面接触する角度で形成されている。つまり、先端部２０は機器重量を面で支持する。
【００２９】
図２の白抜き矢印で示されるように、防振本体部２の上部の微調整用ネジ穴１２に、レベル調整部３の結合部１４が螺合して結合する。さらに、レベル調整部３の粗調整用ネジ穴１５に支持柱４の雄ネジが螺合して結合する。
【００３０】
次に、この防振アジャスタ１を機器に装着する際の高さ調整について説明する。
【００３１】
予め、支持柱４を回動させて、支持柱４の先端部２０の高さを低くして、支持柱４の係止部１８をレベル調整部３側に当接させておく。また、レベル調整部３の回動用ハンドル１６を回動させて、レベル調整部３の高さを一番低い状態とさせてから、回動用ハンドル１６を逆に数回転程度、適宜回動させて、回動用ハンドル１６を右回転および左回転どちらにでも回動できるような状態にしておく。
【００３２】
この状態で、図１に示される機器が設置される床面４０上の、取付穴３２の真下に防振アジャスタ１を載置する。この状態では、まだ機器はキャスター３５で支持されている。
【００３３】
次に、支持柱４の六角状の胴部１９にスパナを係合させて、支持柱４の先端部２０を高くする方向に支持柱４を回動させる。このとき、ハンドル１６が回動しないように支持して固定しておく。支持柱４の先端部２０が高くなることで、機器の底部３０の取付穴３２に嵌まり込み、先端部２０の台形錐状の部分が面取部３３に面接触する。この状態から、所定の高さ程度にキャスター３５が浮くように、さらに支持柱４を工具で回動させる。このように、機器を予め浮かせることなく防振アジャスタ１を装着することができる。
【００３４】
このとき、図３に示されるように、レベル調整部３の上面と支持柱４の係止部１８との間に、スペーサー２２を挿入する。図１では、２枚のスペーサー２２が挿入された状態が図示されている。
【００３５】
スペーサー２２を適当な枚数だけ挿入した後に、支持柱４をレベル調整部３側に締め込んで、スペーサー２２および支持柱４をレベル調整部３に固定する。これにより、支持柱４がスペーサー２２によって補強されると共に確実に高さ固定される。
【００３６】
なお、防振アジャスタ１を機器の取付穴３２の真下に載置した際に、取付穴３２と支持柱４の先端部２０とが近接している場合には、支持柱４を回動させることなく、ハンドル１６を回動させて、所定の高さ程度にキャスター３５を浮かせてもよい。この場合には、支持柱４の係止部１８がレベル調整部３の上部に当接されたまま使用される。この場合であっても、機器を予め浮かせることなく防振アジャスタ１を装着することができる。
【００３７】
続いて、機器の底部３０に形成された残りの取付穴３２の全てに上記のように防振アジャスタ１を装着する。一例として、取付穴３２は、機器の４隅に形成されている。
【００３８】
次に、水準器等で機器が水平になるように、各々の防振アジャスタ１のハンドル１６を左または右に微回動させて、支持柱４の先端部２０の高さを調整する。この場合、支持柱４の雄ネジよりもレベル調整部３の結合部１４の雄ネジの方がピッチが小さいことから、支持柱４自体を１回転させるよりも、僅かしか高さが変化しない。このため、ハンドル１６の操作で高さの微調整を行うことができる。また、ハンドル１６が付されているため、僅かな微調整も小さな力で容易に行うことができる。
【００３９】
機器が水平になるまで微調整を繰り返す。機器が水平になった段階で設置作業は終了する。
【００４０】
機器が作動して振動を発生しても、防振用ゴム１０の弾力性により、防振効果が得られる。
【００４１】
このように、上記した防振アジャスタ１によれば、支持する機器の底部３０に形成された取付穴３２の面取部３３に面接触して当接する角度で、支持柱４の先端部２０が台形錐状に形成されていることにより、機器の底面３０を支持柱４が貫通することなく機器を支持することができる。このため、機器内部にデッドスペースが生じない。さらに、防振アジャスタ１の大きさを考慮して取付穴３２の位置を形成すれば、機器側面から防振アジャスタ１がはみ出ずに、機器サイズ内で装着することができる。
【００４２】
また、防振本体部２の微調整用ネジ穴１２にレベル調整部３が螺合している。このため、レベル調整部３のハンドル１６を回動することで、上部に付された支持柱４の先端部２０の高さを調整することができる。したがって、機器の下側に防振アジャスタ１をセットして、支持柱４の先端部２０の高さを高く調整することで機器を支持することができる。このため、あらかじめ機器を浮かせることなく装着できるので、極めて装着性が良い。
【００４３】
さらに、レベル調整部３の上部に微調整用ネジ穴１２のネジのピッチよりも大きなピッチで粗調整用ネジ穴１５が形成され、支持柱４には、その下部側に粗調整用ネジ穴１５に螺合する雄ネジが周囲に形成されていることにより、支持柱４を回動することで、支持柱４の先端部２０の高さを大きく調整でき、機器の高さの粗調整を行うことができる。
【００４４】
また、この防振アジャスタ１によれば、支持柱４には、下部側に形成された雄ネジよりも上部側に、ネジ径よりも大径の係止部１８を形成し、係止部１８とレベル調整部３との間にスペーサー２２を配設可能とすることで、支持柱４を補強できると共に支持柱４の高さを確実に固定することができる。
【００４５】
さらに、支持柱４がその胴部１９をスパナ等の回動工具に係合可能な六角状に形成されているため、支持柱４の回動を容易に行うことができる。このため、機器高さの粗調整を容易に行うことができる。また、スペーサー２２を配設した場合には、支持柱４をレベル調整部３側に締め込むことによる固定を容易に行うことができる。
【００４６】
なお、支持柱４の先端部２０の形状を台形錐状に形成した例について説明したが、図４（ａ）（ｂ）に示される支持柱４ａ，４ｂのように、先端部２０ａ，２０ｂの形状を円錐状に形成することもできる。また、同図（ａ）に示されるように、支持柱４ａの胴部をモンキーレンチ等の回動工具に係合可能な少なくとも一対の平行面２４（係合部の他の一例）に形成することもできる。さらに、同図（ｂ）に示されるように、支持柱４ｂの胴部に丸穴２５（係合部のさらに別の一例）を形成することもできる。この丸穴２５に勘合する回動工具としての丸棒を挿入することで、支持柱４ｂを容易に回動することができる。
【００４７】
また、機器の底部３０の取付穴３２は、底部を貫通していても良い。また、取付穴３２および面取部３３は、支持柱４の先端部２０（２０ａ，２０ｂ）が嵌り込む逆円錐状の窪みであってもよい。
【００４８】
さらに、支持柱４の下部に雄ネジを形成して、支持柱４を回動することで高さの粗調整を行う構成例について説明したが、支持柱４をレベル調整部３に固定形成して、ハンドル１６の回動だけで、すなわちレベル調整部３の上下動だけで高さ調整する構成にしてもよい。
【図面の簡単な説明】
【００４９】
【図１】本発明を適用する防振アジャスタの使用状態を示す側面図である。
【図２】本発明を適用する防振アジャスタの組立図である。
【図３】本発明を適用する防振アジャスタにスペーサーの取り付け方法を示す２面図である。
【図４】支持柱の別の実施形態を示す２面図である。
【符号の説明】
【００５０】
１は防振アジャスタ、２は防振本体部、３はレベル調整部、４,４ａ,４ｂは支持柱、
１０は防振用ゴム、１１は本体カバー、１２は微調整用ネジ穴、１４は結合部、１５は粗調整用ネジ穴、１６はハンドル、１８は係止部、１９は胴部、２０,２０ａ,２０ｂは先端部、２２はスペーサー、２４は一対の平行面、２５は丸穴、３０は底部、３２は取付穴、３３は面取部、３５はキャスター、４０は床面である。
【図１】
0005236299.tif 000002
【図２】
0005236299.tif 000003
【図３】
0005236299.tif 000004
【図４】
0005236299.tif 000005